【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
メディアデータを処理する方法であって、前記メディアデータのフレームがデコーダによって復号される前に前記メディアデータを処理する、前記デコーダと別個の処理ユニットによって処理され、
メディアデータのセグメントの少なくとも一部分のデータが失われたことを、前記セグメントの残りの部分がdynamic adaptive streaming over HTTP(DASH)に従ったネットワーク送信を介して受信された後で判定するステップであって、前記セグメントの前記メディアデータが第1の複数のフレームを含み、前記第1の複数のフレームは、前記セグメントの外部のフレームを参照することなく符号化され、失われた前記データは、前記第1の複数のフレームのサブセットである第2の複数のフレームを含むステップと、
前記判定に基づいて、前記デコーダが前記セグメントの前記メディアデータの任意の前記フレームを復号する前に、追加されたデフォルトデータの期間が、前記第2の複数のフレームにおけるフレーム数の期間と等しくなるように、前記デフォルトデータを前記セグメントに追加して、失われたと判定された前記データを置換して置換セグメントを形成するステップと、
前記置換セグメントのメディアデータを前記デコーダに出力するステップとを含む、方法。
【請求項２】
前記セグメントの前記少なくとも一部分の前記データが失われたと判定するステップが、前記セグメントの少なくとも1つのパケットが到達しなかった、または破損したと判定するステップを含む、請求項1に記載の方法。
【請求項３】
デフォルトデータを追加するステップが、デフォルトオーディオデータとデフォルトビデオデータの少なくとも1つを前記セグメントに追加するステップを含む、請求項1に記載の方法。
【請求項４】
デフォルトデータを追加するステップがデフォルトビデオデータを前記セグメントに追加するステップを含み、前記デフォルトビデオデータが、前記セグメントの前記残りの部分を受信したネットワークのロゴの画面、季節に関連する表示、およびコンテンツに関連する表示のうちの1つを含む、請求項1に記載の方法。
【請求項５】
デフォルトデータを追加するステップが、コンテンツに関連するオーディオデータを前記セグメントに追加するステップを含む、請求項1に記載の方法。
【請求項６】
前記デフォルトデータの前記追加に基づいて、前記セグメントのヘッダを修正するステップをさらに含む、請求項1に記載の方法。
【請求項７】
前記デフォルトデータを定義する情報を受信するステップをさらに含む、請求項1に記載の方法。
【請求項８】
前記デフォルトデータを定義する前記情報を受信するステップが、前記ネットワーク送信の一部として前記デフォルトデータを定義する前記情報を受信するステップを含む、請求項7に記載の方法。
【請求項９】
前記デフォルトデータを定義する前記情報を受信するステップが、付随する情報として前記デフォルトデータを定義する前記情報を受信するステップを含む、請求項7に記載の方法。
【請求項１０】
前記デフォルトデータを示す構成データを取り出すステップをさらに含む、請求項1に記載の方法。
【請求項１１】
前記メディアデータがビデオデータを含み、前記デコーダがビデオデコーダを含み、出力するステップが、前記置換セグメントの前記ビデオデータを前記ビデオデコーダに送信するステップを含む、請求項1に記載の方法。
【請求項１２】
前記デフォルトデータを追加するステップが、フレーム番号とピクチャ順序カウント(POC)値の少なくとも1つの値を、前記デフォルトデータのピクチャに割り当てるステップを含む、請求項11に記載の方法。
【請求項１３】
前記メディアデータがオーディオデータを含み、前記デコーダがオーディオデコーダを含み、出力するステップが、前記置換セグメントの前記オーディオデータを前記オーディオデコーダに送信するステップを含む、請求項1に記載の方法。
【請求項１４】
前記デフォルトデータが、前記メディアデータと別個かつ独立したデータを含むとともに、喪失訂正技法または破損訂正技法に起因しない、請求項1に記載の方法。
【請求項１５】
前記セグメントの任意のデータを受信する前に、前記デフォルトデータを受信するステップをさらに含む、請求項1に記載の方法。
【請求項１６】
メディアデータを処理するためのデバイスであって、
デコーダと、
前記メディアデータのフレームの前の前記メディアデータが前記デコーダによって復号される、前記デコーダと別個の1つまたは複数のプロセッサであって、
メディアデータのセグメントの少なくとも一部分のデータが失われたことを、前記セグメントの残りの部分がdynamic adaptive streaming over HTTP(DASH)に従ったネットワーク送信を介して受信された後で判定することであって、前記セグメントの前記メディアデータが第1の複数のフレームを含み、前記第1の複数のフレームは、前記セグメントの外部のフレームを参照することなく符号化され、失われた前記データは、前記第1の複数のフレームのサブセットである第2の複数のフレームを含む、判定することと、
前記判定に基づいて、前記デコーダが前記セグメントの前記メディアデータの任意の前記フレームを復号する前に、追加されたデフォルトデータの期間が、前記第2の複数のフレームにおけるフレーム数の期間と等しくなるように、前記デフォルトデータを前記セグメントに追加して、失われたと判定された前記データを置換して置換セグメントを形成することと、
前記置換セグメントのメディアデータを前記デコーダに出力することと
を行うように構成される、1つまたは複数のプロセッサを含む、デバイス。
【請求項１７】
前記セグメントの少なくとも1つのパケットが到達しなかった、または破損したときに、前記1つまたは複数のプロセッサが、前記セグメントの前記少なくとも一部分の前記データが失われたと判定するように構成される、請求項16に記載のデバイス。
【請求項１８】
前記1つまたは複数のプロセッサが、デフォルトオーディオデータとデフォルトビデオデータの少なくとも1つを前記セグメントに追加するように構成される、請求項16に記載のデバイス。
【請求項１９】
前記1つまたは複数のプロセッサがさらに、前記デフォルトデータを定義する情報を受信するように構成される、請求項16に記載のデバイス。
【請求項２０】
前記デコーダがビデオデコーダをさらに含み、前記メディアデータがビデオデータを含み、前記1つまたは複数のプロセッサが、前記置換セグメントの前記ビデオデータを前記ビデオデコーダに送信するように構成される、請求項16に記載のデバイス。
【請求項２１】
前記1つまたは複数のプロセッサが、フレーム番号とピクチャ順序カウント(POC)値の少なくとも1つの値を、前記デフォルトデータのピクチャに割り当てるように構成される、請求項20に記載のデバイス。
【請求項２２】
前記デフォルトデータが、前記メディアデータと別個かつ独立したデータを含むとともに、喪失訂正技法または破損訂正技法に起因しない、請求項16に記載のデバイス。
【請求項２３】
前記1つまたは複数のプロセッサが、前記セグメントの任意のデータを受信する前に、前記デフォルトデータを受信するようにさらに構成される、請求項16に記載のデバイス。
【請求項２４】
メディアデータを処理するためのデバイスであって、
デコーダと、
メディアデータのセグメントの少なくとも一部分のデータが失われたことを、前記セグメントの残りの部分がdynamic adaptive streaming over HTTP(DASH)に従ったネットワーク送信を介して受信された後で判定するための、前記メディアデータのフレームがデコーダによって復号される前に前記メディアデータを処理する、前記デコーダと別個の手段前記セグメントの前記メディアデータが第1の複数のフレームを含み、前記第1の複数のフレームは、前記セグメントの外部のフレームを参照することなく符号化され、失われた前記データは、前記第1の複数のフレームのサブセットである第2の複数のフレームを含む手段と、
前記判定に基づいて、前記デコーダが前記セグメントの前記メディアデータの任意の前記フレームを復号する前に、追加されたデフォルトデータの期間が、前記第2の複数のフレームにおけるフレーム数の期間と等しくなるように、前記デフォルトデータを前記セグメントに追加して、失われたと判定された前記データを置換して置換セグメントを形成するための、前記メディアデータのフレームがデコーダによって復号される前に前記メディアデータを処理する、前記デコーダと別個の手段と、
前記置換セグメントのメディアデータを前記デコーダに出力するための、前記メディアデータのフレームがデコーダによって復号される前に前記メディアデータを処理する、前記デコーダと別個の手段とを含む、デバイス。
【請求項２５】
前記セグメントの前記少なくとも一部分の前記データが失われたと判定するための手段が、前記セグメントの少なくとも1つのパケットが到達しなかった、または破損したと判定するための手段を含む、請求項24に記載のデバイス。
【請求項２６】
デフォルトデータを追加するための前記手段が、デフォルトオーディオデータとデフォルトビデオデータの少なくとも1つを前記セグメントに追加するための手段を含む、請求項24に記載のデバイス。
【請求項２７】
前記デフォルトデータを定義する情報を受信するための手段をさらに含む、請求項24に記載のデバイス。
【請求項２８】
前記デフォルトデータを定義する前記情報を受信するための前記手段が、前記ネットワーク送信の一部として前記デフォルトデータを定義する前記情報を受信するための手段を含む、請求項27に記載のデバイス。
【請求項２９】
前記デフォルトデータを定義する前記情報を受信するための前記手段が、付随する情報として前記デフォルトデータを定義する前記情報を受信するための手段を含む、請求項27に記載のデバイス。
【請求項３０】
前記デコーダがビデオデコーダを含み、前記メディアデータがビデオデータを含み、出力するための前記手段が、前記置換セグメントの前記ビデオデータを、前記ビデオデコーダに送信するための手段を含む、請求項24に記載のデバイス。
【請求項３１】
前記デフォルトデータを追加するための前記手段が、フレーム番号とピクチャ順序カウント(POC)値の少なくとも1つの値を、前記デフォルトデータのピクチャに割り当てるための手段を含む、請求項30に記載のデバイス。
【請求項３２】
前記デフォルトデータが、前記メディアデータと別個かつ独立したデータを含むとともに、喪失訂正技法または破損訂正技法に起因しない、請求項24に記載のデバイス。
【請求項３３】
前記セグメントの任意のデータを受信する前に、前記デフォルトデータを受信するための手段をさらに含む、請求項24に記載のデバイス。
【請求項３４】
実行されると、メディアデータのフレームがデコーダによって復号される前に前記メディアデータを処理する、前記デコーダと別個の1つまたは複数のプロセッサに、
メディアデータのセグメントの少なくとも一部分のデータが失われたことを、前記セグメントの残りの部分がdynamic adaptive streaming over HTTP(DASH)に従ったネットワーク送信を介して受信された後で判定することであって、前記セグメントの前記メディアデータが第1の複数のフレームを含み、前記第1の複数のフレームは、前記セグメントの外部のフレームを参照することなく符号化され、失われた前記データは、前記第1の複数のフレームのサブセットである第2の複数のフレームを含む、判定することと、
前記判定に基づいて、前記デコーダが前記セグメントの前記メディアデータの任意の前記フレームを復号する前に、追加されたデフォルトデータの期間が、前記第2の複数のフレームにおけるフレーム数の期間と等しくなるように、前記デフォルトデータを前記セグメントへ追加して、失われたと判定された前記データを置換して置換セグメントを形成することと、
前記置換セグメントのメディアデータを前記デコーダに出力ことと
を行わせる命令を記憶した、コンピュータ可読記憶媒体。
【請求項３５】
前記1つまたは複数のプロセッサに、前記セグメントの前記少なくとも一部分の前記データが失われたと判定させる前記命令が、前記1つまたは複数のプロセッサに、前記セグメントの少なくとも1つのパケットが到達していない、または破損したと判定させる命令を含む、請求項34に記載のコンピュータ可読記憶媒体。
【請求項３６】
前記1つまたは複数のプロセッサにデフォルトデータを追加させる前記命令が、前記1つまたは複数のプロセッサに、デフォルトオーディオデータとデフォルトビデオデータの少なくとも1つを前記セグメントへ追加させる命令を含む、請求項34に記載のコンピュータ可読記憶媒体。
【請求項３７】
前記1つまたは複数のプロセッサに、前記デフォルトデータを定義する情報を受信させる命令をさらに含む、請求項34に記載のコンピュータ可読記憶媒体。
【請求項３８】
前記1つまたは複数のプロセッサに前記デフォルトデータを定義する前記情報を受信させる前記命令が、前記1つまたは複数のプロセッサに、前記デフォルトデータを定義する前記情報を前記ネットワーク送信の一部として受信させる命令を含む、請求項37に記載のコンピュータ可読記憶媒体。
【請求項３９】
前記1つまたは複数のプロセッサに前記デフォルトデータを定義する前記情報を受信させる前記命令が、前記1つまたは複数のプロセッサに、付随する情報として前記デフォルトデータを定義する前記情報を受信させる命令を含む、請求項37に記載のコンピュータ可読記憶媒体。
【請求項４０】
前記メディアデータがビデオデータを含み、前記デコーダがビデオデコーダを含み、前記1つまたは複数のプロセッサに出力させる前記命令が、前記1つまたは複数のプロセッサに、前記置換セグメントの前記ビデオデータを前記ビデオデコーダへ送信させる命令を含む、請求項34に記載のコンピュータ可読記憶媒体。
【請求項４１】
前記1つまたは複数のプロセッサに前記デフォルトデータを追加させる前記命令が、前記1つまたは複数のプロセッサに、フレーム番号とピクチャ順序カウント(POC)値の少なくとも1つの値を前記デフォルトデータのピクチャへ割り当てさせる命令を含む、請求項40に記載のコンピュータ可読記憶媒体。
【請求項４２】
前記デフォルトデータが、前記メディアデータと別個かつ独立したデータを含むとともに、喪失訂正技法または破損訂正技法に起因しない、請求項34に記載のコンピュータ可読記憶媒体。
【請求項４３】
前記セグメントの任意のデータを受信する前に、前記デフォルトデータを受信させる命令をさらに含む、請求項34に記載のコンピュータ可読記憶媒体。